(57)【特許請求の範囲】
【請求項１】
取引に使用される取引用媒体が有する磁気記憶媒体から、前記取引用媒体がＩＣ記憶媒体を有するか否かを示すＩＣ記憶媒体有無情報を読み取る磁気記憶媒体読み取り部と、
前記磁気記憶媒体読み取り部が前記ＩＣ記憶媒体有無情報を読み取ったか否かを判定する読み取り成否判定部と、
前記磁気記憶媒体以外の記憶媒体から前記ＩＣ記憶媒体有無情報を取得する情報取得処理を行う情報取得部と、
前記磁気記憶媒体読み取り部が前記ＩＣ記憶媒体有無情報を読み取っていないと判定された場合に、前記情報取得部による前記情報取得処理の結果に基づいて、前記取引用媒体が前記ＩＣ記憶媒体を有するか否かを判定するＩＣ記憶媒体有無判定部と、
前記取引用媒体が前記ＩＣ記憶媒体を有すると判定された場合に、前記ＩＣ記憶媒体に記憶された取引情報に基づいて前記取引を行う取引処理部と、を備え、
前記情報取得部は、前記取引用媒体が有し、前記磁気記憶媒体以外の記憶媒体である他の磁気記憶媒体から前記ＩＣ記憶媒体有無情報を読み取り、
前記ＩＣ記憶媒体有無判定部は、前記情報取得部が読み取った前記ＩＣ記憶媒体有無情報に基づいて、前記取引用媒体が前記ＩＣ記憶媒体を有するか否かを判定することを特徴とする、自動取引装置。
【請求項２】
前記読み取り成否判定部は、前記磁気記憶媒体読み取り部に前記ＩＣ記憶媒体有無情報の読み取り処理を所定回数繰り返して行わせ、
前記ＩＣ記憶媒体有無判定部は、前記磁気記憶媒体読み取り部が前記所定回数の読み取り処理によっても前記ＩＣ記憶媒体有無情報を読み取っていないと判定された場合に、前記情報取得部に前記情報取得処理を行わせることを特徴とする、請求項１記載の自動取引装置。
【請求項３】
前記磁気記憶媒体読み取り部及び前記情報取得部は、同時に前記ＩＣ記憶媒体有無情報を読み取ることを特徴とする、請求項１記載の自動取引装置。
【請求項４】
取引に使用される取引用媒体が有する磁気記憶媒体から、前記取引用媒体がＩＣ記憶媒体を有するか否かを示すＩＣ記憶媒体有無情報を読み取る磁気記憶媒体読み取り部と、
前記磁気記憶媒体読み取り部が前記ＩＣ記憶媒体有無情報を読み取ったか否かを判定する読み取り成否判定部と、
前記磁気記憶媒体以外の記憶媒体から前記ＩＣ記憶媒体有無情報を取得する情報取得処理を行う情報取得部と、
前記磁気記憶媒体読み取り部が前記ＩＣ記憶媒体有無情報を読み取っていないと判定された場合に、前記情報取得部による前記情報取得処理の結果に基づいて、前記取引用媒体が前記ＩＣ記憶媒体を有するか否かを判定するＩＣ記憶媒体有無判定部と、
前記取引用媒体が前記ＩＣ記憶媒体を有すると判定された場合に、前記ＩＣ記憶媒体に記憶された取引情報に基づいて前記取引を行う取引処理部と、を備え、
前記情報取得部は、前記磁気記憶媒体以外の記憶媒体である前記ＩＣ記憶媒体に応答要求情報を無線送信し、前記ＩＣ記憶媒体から無線送信された応答情報を受信し、
前記ＩＣ記憶媒体有無判定部は、前記情報取得部が前記応答情報を受信した場合には、前記取引用媒体が前記ＩＣ記憶媒体を有すると判定し、
前記ＩＣ記憶媒体は非接触式のＩＣ記憶媒体であることを特徴とする、自動取引装置。

【発明の詳細な説明】
【技術分野】
【０００１】
本発明は、自動取引装置、自動取引方法、及びプログラムに関する。
【背景技術】
【０００２】
銀行等の金融機関に口座を開設した顧客は、金融機関の支店やコンビニエンスストアに設置されたＡＴＭ（Ａｕｔｏｍａｔｉｃ  Ｔｅｌｌｅｒ  Ｍａｃｈｉｎｅ）等の自動取引装置を用いて取引を行う際、キャッシュカードを使用する事が多い。
【０００３】
このキャッシュカードは、磁気ストライプが付されたものが主流であったが、近年、この磁気ストライプとＩＣチップとを併用したものも使用されるようになってきている。これに伴い、特許文献１に記載されているように、磁気ストライプとＩＣチップとを有するキャッシュカードに対応した自動取引装置も普及されてきている。
【０００４】
このような自動取引装置は、まず、磁気ストライプから、キャッシュカードがＩＣチップを有するか否かを示すＩＣカードフラグを読取り、このＩＣカードフラグに基づいて、キャッシュカードがＩＣチップを有するか否かを判定する。そして、自動取引装置は、キャッシュカードがＩＣチップを有すると判定した場合には、ＩＣチップにアクセスし、ＩＣチップ内の情報を取得する。その後、自動取引装置は、ＩＣチップから取得した情報に基づいて、現金の引き出しや振込み等の取引を行う。
【先行技術文献】
【特許文献】
【０００５】
【特許文献１】特開平１１−６６２０８号公報
【発明の概要】
【発明が解決しようとする課題】
【０００６】
しかし、従来の自動取引装置は、磁気ストライプからＩＣカードフラグを読み取ることができない場合、キャッシュカードがＩＣチップを有するか否かを判定することができず、結果として、取引を行うことができないという問題があった。
【０００７】
そこで、本発明は、上記問題に鑑みてなされたものであり、本発明の目的とするところは、磁気ストライプ等の磁気記憶媒体からＩＣカードフラグ等のＩＣ記憶媒体有無情報を読み取ることができない場合であっても、ＩＣ記憶媒体に記憶された情報に基づく取引を行うことが可能な、新規かつ改良された自動取引装置、自動取引方法、及びプログラムを提供することにある。
【課題を解決するための手段】
【０００８】
上記課題を解決するために、本発明のある観点によれば、取引に使用される取引用媒体が有する磁気記憶媒体から、取引用媒体がＩＣ記憶媒体を有するか否かを示すＩＣ記憶媒体有無情報を読み取る磁気記憶媒体読み取り部と、磁気記憶媒体読み取り部がＩＣ記憶媒体有無情報を読み取ったか否かを判定する読み取り成否判定部と、磁気記憶媒体以外の記憶媒体からＩＣ記憶媒体有無情報を取得する情報取得処理を行う情報取得部と、磁気記憶媒体読み取り部がＩＣ記憶媒体有無情報を読み取っていないと判定された場合に、情報取得部による情報取得処理の結果に基づいて、取引用媒体がＩＣ記憶媒体を有するか否かを判定するＩＣ記憶媒体有無判定部と、取引用媒体がＩＣ記憶媒体を有すると判定された場合に、ＩＣ記憶媒体に記憶された取引情報に基づいて取引を行う取引処理部と、を備え、情報取得部は、取引用媒体が有し、磁気記憶媒体以外の記憶媒体である他の磁気記憶媒体からＩＣ記憶媒体有無情報を読み取り、ＩＣ記憶媒体有無判定部は、情報取得部が読み取ったＩＣ記憶媒体有無情報に基づいて、取引用媒体がＩＣ記憶媒体を有するか否かを判定することを特徴とする、自動取引装置が提供される。
【０００９】
ここで、読み取り成否判定部は、磁気記憶媒体読み取り部にＩＣ記憶媒体有無情報の読み取り処理を所定回数繰り返して行わせ、ＩＣ記憶媒体有無判定部は、磁気記憶媒体読み取り部が所定回数の読み取り処理によってもＩＣ記憶媒体有無情報を読み取っていないと判定された場合に、情報取得部に情報取得処理を行わせてもよい。また、磁気記憶媒体読み取り部及び情報取得部は、同時にＩＣ記憶媒体有無情報を読み取ってもよい。
【００１０】
本発明の他の観点によれば、取引に使用される取引用媒体が有する磁気記憶媒体から、取引用媒体がＩＣ記憶媒体を有するか否かを示すＩＣ記憶媒体有無情報を読み取る磁気記憶媒体読み取り部と、磁気記憶媒体読み取り部がＩＣ記憶媒体有無情報を読み取ったか否かを判定する読み取り成否判定部と、磁気記憶媒体以外の記憶媒体からＩＣ記憶媒体有無情報を取得する情報取得処理を行う情報取得部と、磁気記憶媒体読み取り部がＩＣ記憶媒体有無情報を読み取っていないと判定された場合に、情報取得部による情報取得処理の結果に基づいて、取引用媒体がＩＣ記憶媒体を有するか否かを判定するＩＣ記憶媒体有無判定部と、取引用媒体がＩＣ記憶媒体を有すると判定された場合に、ＩＣ記憶媒体に記憶された取引情報に基づいて取引を行う取引処理部と、を備え、情報取得部は、磁気記憶媒体以外の記憶媒体であるＩＣ記憶媒体に応答要求情報を無線送信し、ＩＣ記憶媒体から無線送信された応答情報を受信し、ＩＣ記憶媒体有無判定部は、情報取得部が応答情報を受信した場合には、取引用媒体がＩＣ記憶媒体を有すると判定し、ＩＣ記憶媒体は非接触式のＩＣ記憶媒体であることを特徴とする、自動取引装置が提供される。
【発明の効果】
【００１３】
以上説明したように本発明に係る自動取引装置は、磁気記憶媒体読取り部がＩＣ記憶媒体有無情報を読み取っていないと判定した場合に、磁気記憶媒体以外の記憶媒体を用いて、取引用媒体がＩＣ記憶媒体を有するか否かを判定し、取引用媒体がＩＣ記憶媒体を有すると判定した場合に、ＩＣ記憶媒体に記憶された情報に基づいて取引を行う。したがって、自動取引装置は、磁気記憶媒体からＩＣ記憶媒体有無情報を読み取ることができない場合であっても、ＩＣ記憶媒体に記憶された情報に基づく取引を行うことができる。
【図面の簡単な説明】
【００１４】
【図１】本発明の第１実施形態で使用されるＩＣキャッシュカードを示す説明図である。
【図２】ＩＣチップを有しないキャッシュカードを示す説明図である。
【図３】同実施形態に係る自動取引装置の外観を示す斜視図である。
【図４】自動取引装置の内部構成を示すブロック図である。
【図５】カード処理部の詳細な構成を示す側面図である。
【図６】制御部の詳細な構成を示すブロック図である。
【図７】自動取引装置による処理の手順を示すフローチャートである。
【図８】第２実施の形態で使用されるＩＣキャッシュカードを示す説明図である。
【図９】第２実施の形態に係るカード処理部の詳細な構成を示す側面図である。
【図１０】制御部の詳細な構成を示すブロック図である。
【図１１】自動取引装置による処理の手順を示すフローチャートである。
【発明を実施するための形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
＜１．第１実施形態＞
［ＩＣキャッシュカード１−１の概略構成］
まず、図１に基づいて、第１実施の形態に使用されるＩＣキャッシュカード１−１の概略構成について説明する。図１（ａ）は、ＩＣキャッシュカード１−１の表面を示し、（ｂ）は裏面を示す。ＩＣキャッシュカード１−１は、第１磁気ストライプ２（磁気記憶媒体）と、ＩＣチップ（ＩＣ記憶媒体）３−１と、エンボス領域４と、画像読取領域５と、第２磁気ストライプ６（他の磁気記憶媒体）とを備える。ＩＣキャッシュカード１−１は、金融機関が発行するものであり、金融ネットワークに加盟している各金融機関で統一的に使用可能となるように、各種の仕様（例えば、物理的、電気的、及び伝送制御に関するプロトコル）が統一されている。
【００１７】
第１磁気ストライプ（ＪＩＳ２磁気ストライプ）２は、ＩＣキャッシュカード１−１を発行した金融機関を識別するための識別コード、ＩＣキャッシュカード１−１の保有者の口座番号、ＩＣキャッシュカード１−１がＩＣチップ３−１を有しているか否かを示すＩＣカードフラグ（ＩＣ記憶媒体有無情報）等を含む第１磁気情報を所定の統一フォーマットに従って記憶する。
【００１８】
ＩＣチップ３−１は、接触式であり、集積回路を有している。この集積回路は、第１磁気ストライプ２が記憶する情報と同一または関連つけられた情報であるＩＣ情報を記憶する一方で、ＩＣ情報を自動取引装置１０との間でやり取りする。このようなＩＣ情報には、ＩＣキャッシュカード１−１を発行した金融機関を識別するための識別コード、ＩＣキャッシュカード１−１の保有者の口座番号が含まれる。また、ＩＣチップ３−１の表面は、電気的な接触部位を構成するため、ＩＣキャッシュカード１−１の他の部分と色彩が異なっている。
【００１９】
エンボス領域４には、ＩＣキャッシュカード１−１の保有者の口座番号及び氏名等がエンボス加工によって印字されている。
【００２０】
画像読取領域５は、ＩＣチップ３−１が設けられている領域及びエンボス領域４を少なくとも含む領域であり、後述するカード処理部４０による画像読取の対象となる。すなわち、カード処理部４０は、画像読取領域５に描かれた情報、例えばエンボス領域４に印字された口座番号等を読み取る。
【００２１】
第２磁気ストライプ（ＪＩＳ１磁気ストライプ）６は、ＩＣキャッシュカード１−１を発行した金融機関を識別するための識別コード、ＩＣキャッシュカード１−１の保有者の口座番号、ＩＣキャッシュカード１−１がＩＣチップ３−１を有しているか否かを示すＩＣカードフラグ等を含む第２磁気情報を所定の統一フォーマットに従って記憶する。
【００２２】
［ＩＣチップ３−１を有しないキャッシュカードについて］
図２は、ＩＣチップ３−１を有しないキャッシュカード（以下、「磁気キャッシュカード」とも称する）１−２を示す説明図である。図２（ａ）は磁気キャッシュカード１−２の表面を示し、図２（ｂ）は裏面を示す。図３に示すように、磁気キャッシュカード１−２は、ＩＣチップ３−１を有しない他は、ＩＣキャッシュカード１−１と同様の構成である。第１の実施の形態に係る自動取引装置１０は、ＩＣキャッシュカード１−１及び磁気キャッシュカード１−２の両方に対応する。以下、ＩＣキャッシュカード１−１及び磁気キャッシュカード１−２を、単に「取引用キャッシュカード」とも称する。また、取引用キャッシュカードの保有者を、単に「顧客」とも称する。
【００２３】
［自動取引装置１０の外観構成］
次に、図３に基づいて、自動取引装置１０の外観構成を説明する。自動取引装置１０は、その外観構成として、筐体１１と、カード入出口１２と、通帳入出口１３と、紙幣入出口１４と、硬貨入出口１５と、接客部１６と、接近検出センサ１７とを備える。
【００２４】
筐体１１は、自動取引装置１１の内部構成、例えば映像取得部２０やカード処理部４０等を内蔵する。カード入出口１２は、取引用キャッシュカードが入出される部分である。すなわち、自動取引装置１０は、ＩＣキャッシュカード１−１の他、磁気キャッシュカード１−２を用いた取引にも対応する。通帳入出口１３は、通帳が入出される部分である。紙幣入出口１４は、紙幣が入出される部分であり、硬貨入出口１５は、硬貨が入出される部分である。接客部１６は、タッチパネル付きのディスプレイであり、取引の進行に応じた画像（例えば、取引科目（「お振込み」等）の種類を示すボタンが複数描かれた画像）を表示する。顧客は、所望のボタン（例えば、所望の取引が描かれたボタン）に触れることで、取引を進行させることができる。接客検出センサ１７は、自動取引装置１０に人が接近したことを検知する。
【００２５】
［自動取引装置１０の内部構成］
次に、図４に基づいて、自動取引装置１０の内部構成を説明する。自動取引装置１０は、その内部構成として、映像取得部２０と、通帳処理部３０と、カード処理部４０と、明細票処理部５０と、紙幣入出金部６０と、硬貨入出金部７０と、電源部８０と、記憶部９０と、インタフェース部１００と、制御部１１０−１とを有する。なお、自動取引装置１０は、ＣＰＵ、ＲＯＭ、ＲＡＭ、ハードディスク、各種アクチュエータ、印字装置、デジタルカメラ、紙幣類の搬送路、金種別カセット等のハードウエア構成を有し、これらのハードウエア構成によって各機能ブロックが実現される。
【００２６】
映像取得部２０は、いわゆるデジタルカメラであり、筐体１１の上部に配置されている。映像取得部２０は、自動取引装置１０を利用する顧客を撮影し、これにより得られた画像情報を制御部１１０−１に出力する。制御部１１０−１は、映像取得部２０から与えられた画像情報から顧客の顔画像を抽出し、抽出した顔画像に基づいて各種の処理を行う。
【００２７】
通帳処理部３０は、通帳入出口１３から挿入された通帳に各種の処理（例えば、通帳への印字、通帳に付された磁気ストライプの読取り、磁気ストライプへの書き込み、印字ページの検出、及び改ページ等）を行い、その後、通帳を通帳入出口１３から返却する。
【００２８】
カード処理部４０は、カード入出口１２から挿入された取引用キャッシュカードに対して各種の処理（第１磁気ストライプ２及び第２磁気ストライプ６の読取り、ＩＣチップ３−１へのアクセス等）を行った後、取引用キャッシュカードをカード入出口１２から返却する。
【００２９】
明細票処理部５０は、取引日、取引金額、及び残高等を所定の用紙に印字することで明細票を作成し、カード入出口１２の近傍に形成された排出口（図示せず）から排出する。
【００３０】
紙幣入出金部６０は、紙幣入出口１４から入金された紙幣の真贋を鑑別し、紙幣を計数し、金種別のカセットに搬送する。また、紙幣入出金部６０は、顧客に支払われる紙幣を金種別のカセットから繰り出し、紙幣入出口１４から排出する。
【００３１】
硬貨入出金部７０は、硬貨入出口１５から入金された硬貨の真贋を鑑別し、硬貨を計数し、金種別のカセットに搬送する。また、硬貨入出金部７０は、顧客に支払われる硬貨を金種別のカセットから繰り出し、硬貨入出口１５から排出する。
【００３２】
電源部８０は、自動取引装置１０の各構成要素に駆動電圧を供給する。記憶部９０は、カード処理部４０が取引用キャッシュカードから取得した情報や各種プログラム等を記憶する他、制御部１１０による作業領域としても使用される。インタフェース部１００は、第１ホストコンピュータ２００に接続されており、第１ホストコンピュータ２００との間で情報のやりとりを行う。
【００３３】
制御部１１０−１は、自動取引装置１０の各構成要素を制御する他、取引用キャッシュカードがＩＣチップを有するか否かの判定や、ＩＣチップに記憶された情報に基づく取引等を行う。
【００３４】
［ネットワークの構成］
次に、図４に基づいて、自動取引装置１０が接続されているネットワークについて説明する。自動取引装置１０は、第１ホストコンピュータ２００に接続されており、第１ホストコンピュータ２００は、ネットワーク網２２０を介して第２ホストコンピュータ２３０に接続されている。第１ホストコンピュータ２００は記憶装置２１０に接続されており、第２ホストコンピュータ２３０は、記憶装置２４０に接続されている。
【００３５】
第１ホストコンピュータ２００は、自動取引装置１０を維持、管理する第１金融機関に設置されており、自動取引装置１０の上位装置となるものである。記憶装置２１０は、第１ホストコンピュータ２００によって管理、制御され、口座データファイル（第１金融機関が管理する口座の各々について、口座番号、預金残高、利用状況、磁気ストライプの復元回数及び取引用キャッシュカードがＩＣキャッシュカード１−１であるか否か等を記録したもの）等を記憶する。
【００３６】
第２ホストコンピュータ２３０は、第１金融機関とは異なる第２金融機関に設置される。記憶装置２４０は、第２ホストコンピュータ２３０により管理、制御され、口座データファイル（第２金融機関が管理する口座の各々について、口座番号、預金残高、利用状況、磁気ストライプの復元回数、及び取引用キャッシュカードがＩＣキャッシュカード１−１であるか否か等を記録したもの）等を記憶する。第１ホストコンピュータ２００と第２ホストコンピュータ２３０とは、記憶装置２１０、２４０に記憶された情報を互いにやりとり可能となっている。
【００３７】
［カード処理部４０の構成］
次に、図５に基づいて、カード処理部４０の詳細な構成を説明する。カード処理部４０は、搬送路４０１と、搬送ローラ４０２と、挿入検知センサ４０３と、第１磁気センサ４０６と、第２磁気センサ４０７と、エンボス読取り部４１０と、ＩＣ読取り部４１４と、取り忘れ収納庫４１６とを備える。なお、カード処理部４０内には、搬送状況（例えば、取引用キャッシュカードの位置等）を検出するセンサも設けられる。
【００３８】
搬送路４０１は、取引用キャッシュカードが搬送される通路であり、カード入出口１２と取り忘れ収納庫４１６とを連結する。
【００３９】
搬送ローラ４０２は、搬送路４０１に互いに間隔を置いて複数設けられ、図示しないローラ駆動装置によって駆動される。これにより、搬送ローラ４０２は、搬送路４０１内の取引用キャッシュカードを、取り忘れ格納庫４１６側及びカード入出口１２側に搬送する。即ち、カード入出口１２に矢印Ａ方向に挿入された取引用キャッシュカード（図５では一例としてＩＣキャッシュカード１−１を示した）は、搬送ローラ４０２によって搬送路４０１内に導入される。その後、取引用キャッシュカードは、搬送ローラ４０２によって搬送路４０１内で搬送され、最終的に、カード入出口１２から顧客に返却されるか、または、取り忘れ格納庫４１６に矢印Ｃ方向に排出される。
【００４０】
挿入検知センサ４０３は、搬送路４０１に導入された取引用キャッシュカードを検知する。挿入検知センサ４０３は、取引用キャッシュカードを検知した場合には、その旨の検知情報を制御部１１０−１に出力する。
【００４１】
第１磁気センサ４０６は、挿入検知センサ４０３の後方（取り忘れ格納庫４１６側）かつ搬送路４０１の上方に設けられ、図示しない第１磁気センサ駆動装置により駆動されることで、取引用キャッシュカードに付された第１磁気ストライプ２に接触する。これにより、第１磁気センサ４０６は、第１磁気ストライプ２に記憶された第１磁気情報を読み込む。そして、第１磁気センサ４０６は、読み込んだ第１磁気情報を制御部１１０−１に出力する。
【００４２】
第２磁気センサ４０７は、搬送路４０１の下方かつ第１磁気センサ４０６に対向する位置に設けられ、図示しない第２磁気センサ駆動装置により駆動されることで、取引用キャッシュカードに付された第２磁気ストライプ６に接触する。これにより、第２磁気センサ４０７は、第２磁気ストライプ６に記憶された第２磁気情報を読み込む。そして、第２磁気センサ４０７は、読み込んだ第２磁気情報を制御部１１０−１に出力する。
【００４３】
エンボス読取り部４１０は、第１磁気センサ４０６の後方に設けられ、取引用キャッシュカードの画像読取領域５に描かれた情報（例えば、エンボス領域４に印字された口座番号等）を光学的に読み取り、読み取った情報を制御部１１０−１に出力する。この情報は、明細票の作成の際に使用される。
【００４４】
ＩＣ読取り部４１４は、エンボス読取り部４１０の後方の、搬送路４０１から離れた位置に設けられる。ＩＣ読取り部４１４は、取引用キャッシュカードがＩＣチップ３−１を有すると判定された場合に、矢印Ｂ方向に移動して、取引用キャッシュカードのＩＣチップ３−１に圧接する。そして、ＩＣ読取り部４１４は、ＩＣチップ３−１に記憶されたＩＣ情報を読み込んで、制御部１１０−１に出力する。
【００４５】
［制御部１１０−１の構成］
次に、図６に基づいて、制御部１１０−１の構成を説明する。制御部１１０−１は、読み取り成否判定部１１１−１と、ＩＣ記憶媒体有無判定部１１２−１と、取引処理部１１３−１とを有する。
【００４６】
読み取り成否判定部１１１−１は、第１磁気センサ４０６から与えられた第１磁気情報に基づいて、第１磁気センサ４０６がＩＣカードフラグを読み取ったか否かを判定する。具体的には、読み取り成否判定部１１１−１は、第１磁気センサ４０６から与えられた第１磁気情報にＩＣカードフラグが含まれているか否かを判定する。
【００４７】
読み取り成否判定部１１２−１は、第１磁気センサ４０６がＩＣカードフラグを読み取ったと判定した場合には、第１磁気センサ４０６から与えられた第１磁気情報をＩＣ記憶媒体有無判定部１１２−１に出力する。一方、読み取り成否判定部１１１−１は、第１磁気センサ４０６がＩＣカードフラグを読み取っていないと判定した場合には、その旨の磁気不良情報をＩＣ記憶媒体有無判定部１１２−１に出力する。
【００４８】
ＩＣ記憶媒体有無判定部１１２−１は、読み取り成否判定部１１１−１から第１磁気情報が与えられた場合には、第１磁気情報に含まれるＩＣカードフラグに基づいて、取引用キャッシュカードがＩＣチップ３−１を有するか否かを判定する。
【００４９】
この結果、ＩＣ記憶媒体有無判定部１１２−１は、取引用キャッシュカードがＩＣチップ３−１を有すると判定した場合には、その旨のＩＣチップ有り判定情報を取引処理部１１３−１に出力する。一方、ＩＣ記憶媒体有無判定部１１２−１は、取引用キャッシュカードがＩＣチップ３−１を有しないと判定した場合には、第１磁気情報を取引処理部１１３−１に出力する。
【００５０】
ＩＣ記憶媒体有無判定部１１２−１は、読み取り成否判定部１１１−１から磁気不良情報を与えられた場合には、第２磁気センサ４０７から与えられた第２磁気情報に基づいて、取引用キャッシュカードがＩＣチップ３−１を有するか否かを判定する。
【００５１】
ＩＣ記憶媒体有無判定部１１２−１は、第２磁気センサ４０７から与えられた第２磁気情報に基づいて、第２磁気センサ４０７がＩＣカードフラグを読み取ったか否かを判定する。具体的には、ＩＣ記憶媒体有無判定部１１２−１は、第２磁気センサ４０７から与えられた第２磁気情報にＩＣカードフラグが含まれているか否かを判定する。
【００５２】
ＩＣ記憶媒体有無判定部１１２−１は、第２磁気センサ４０７がＩＣカードフラグを読み取ったと判定した場合には、当該ＩＣカードフラグに基づいて、取引用キャッシュカードがＩＣチップ３−１を有するか否かを判定する。
【００５３】
この結果、ＩＣ記憶媒体有無判定部１１２−１は、取引用キャッシュカードがＩＣチップ３−１を有すると判定した場合には、その旨のＩＣチップ有り判定情報を取引処理部１１３−１に出力する。一方、ＩＣ記憶媒体有無判定部１１２−１は、取引用キャッシュカードがＩＣチップ３−１を有しないと判定した場合には、第２磁気情報を取引処理部１１３−１に出力する。
【００５４】
ＩＣ記憶媒体有無判定部１１２−１は、第２磁気センサ４０７がＩＣカードフラグを読み取っていないと判定した場合には、その旨の磁気不良情報を取引処理部１１３−１に出力する。
【００５５】
取引処理部１１３−１は、自動取引装置１０の各構成要素を制御する。一方、取引処理部１１３−１は、ＩＣ記憶媒体有無判定部１１２−１からＩＣチップ有り判定情報が与えられた場合には、図５に示すＩＣ読取り部４１４を矢印Ｂ方向に駆動して、取引用キャッシュカードのＩＣチップ３−１に圧接させる。その後、ＩＣ読取り部４１４から与えられたＩＣ情報に基づいて、取引を行う。一方、取引処理部１１３−１は、ＩＣ記憶媒体有無判定部１１２−１から第１磁気情報または第２磁気情報が与えられた場合には、これらの情報に基づいて、取引を行う。一方、取引処理部１１３−１は、ＩＣ記憶媒体有無判定部１１２−１から磁気不良情報を与えられた場合には、搬送ローラ４０２を用いて、取引用キャッシュカードを顧客に返却する。
【００５６】
［自動取引装置１０による処理］
次に、図７に基づいて、自動取引装置１０による処理の手順を説明する。ステップＳ１０において、自動取引装置１０は、案内部１６に待機画像を表示させる。その後、顧客が自動取引装置１０に接近し、所定の操作範囲内（接近検出センサ１７の検出範囲内）に入ると、接近検出センサ１７は、検出情報を取引処理部１１３−１に出力する。取引処理部１１３−１は、検出情報が与えられた際に、案内部１６に取引選択画像（取引の種類が表記されたボタンが複数描かれた画像）を表示する。その後、取引用キャッシュカードが必要な取引が顧客によって選択される（例えば、「お引き出し」ボタンが顧客によって押される）と、取引処理部１１３−１は、ローラ駆動装置を駆動する。一方、顧客が取引を選択することなく取引用キャッシュカードをカード入出口１２に挿入した場合にも、取引処理部１１３−１は、ローラ駆動装置を駆動する。
【００５７】
次いで、取引処理部１１３−１は、挿入検知センサ４０３から検知情報が与えられるまで待機する。一方、顧客は、取引用キャッシュカードをカード入出口１２に挿入し、搬送ローラ４０２は、取引用キャッシュカードを搬送路４０１内に導入する。これによって、挿入検知センサ４０３は、取引用キャッシュカードを検知し、検知情報を取引処理部１１３−１に出力する。取引処理部１１３−１は、検知情報が与えられた際に、搬送ローラ４０２を用いて、取引用キャッシュカードを第１磁気センサ４０６及び第２磁気センサ４０７の間まで搬送する。
【００５８】
ステップＳ２０において、読み取り成否判定部１１１−１は、第１磁気センサ４０６を第１磁気ストライプ２に接触させる。これにより、第１磁気センサ４０６は、第１磁気ストライプ２に記憶された第１磁気情報を読み取ることが可能になる。第１磁気センサ４０６は、第１磁気ストライプ４０６に記憶された第１磁気情報を読み取って、読み取り成否判定部１１１−１に出力する。なお、第１磁気情報の一部が何らかの原因で消磁されている場合、第１磁気センサ４０６は、第１磁気情報の残りの部分しか読み取り成否判定部１１１−１に出力することができない。また、第１磁気情報が完全に消磁されている場合、第１磁気センサ４０６は、第１磁気情報を読み取り成否判定部１１１−１に出力することができない。
【００５９】
読み取り成否判定部１１１−１は、第１磁気センサ４０６から与えられた第１磁気情報に基づいて、第１磁気センサ４０６がＩＣカードフラグを読み取ったか否かを判定する。具体的には、読み取り成否判定部１１１−１は、第１磁気センサ４０６から与えられた第１磁気情報にＩＣカードフラグが含まれているか否かを判定する。
【００６０】
読み取り成否判定部１１１−１は、第１磁気センサ４０６がＩＣカードフラグを読み取ったと判定した場合には、第１磁気センサ４０６から与えられた第１磁気情報をＩＣ記憶媒体有無判定部１１２−１に出力し、ステップＳ４０に進む。
【００６１】
一方、読み取り成否判定部１１１−１は、第１磁気センサ４０６がＩＣカードフラグを読み取っていないと判定した場合には、その旨の磁気不良情報をＩＣ記憶媒体有無判定部１１２−１に出力し、ステップＳ３０に進む。
【００６２】
読み取り成否判定部１１１−１は、第１磁気センサ４０６から第１磁気情報が与えられない場合にも、第１磁気センサ４０６がＩＣカードフラグを読み取っていないと判定し、その旨の磁気不良情報をＩＣ記憶媒体有無判定部１１２−１に出力し、ステップＳ３０に進む。
【００６３】
なお、読み取り成否判定部１１１−１は、第１磁気センサ４０６がＩＣカードフラグを読み取っていないと判定した場合には、ステップＳ３０に進む前に、ステップＳ２０の処理を所定回数繰り返してもよい。
【００６４】
ステップＳ３０において、ＩＣ記憶媒体有無判定部１１２−１は、読み取り成否判定部１１１−１から磁気不良情報が与えられた際に、第２磁気センサ４０７を第２磁気ストライプ６に接触させる。これにより、第２磁気センサ４０６は、第２磁気ストライプ６に記憶された第２磁気情報を読み取ることが可能になる。第２磁気センサ４０７は、第２磁気ストライプ４０７に記憶された第２磁気情報をＩＣ記憶媒体有無判定部１１２−１に出力する。
【００６５】
次いで、ＩＣ記憶媒体有無判定部１１２−１は、第２磁気センサ４０７から与えられた第２磁気情報に基づいて、取引用キャッシュカードがＩＣチップ３−１を有するか否かを判定する。
【００６６】
即ち、ＩＣ記憶媒体有無判定部１１２−１は、第２磁気センサ４０７から与えられた情報に基づいて、第２磁気センサ４０７がＩＣカードフラグを読み取ったか否かを判定する。具体的には、ＩＣ記憶媒体有無判定部１１２−１は、第２磁気センサ４０７から与えられた情報にＩＣカードフラグが含まれているか否かを判定する。
【００６７】
ＩＣ記憶媒体有無判定部１１２−１は、第２磁気センサ４０７がＩＣカードフラグを読み取ったと判定した場合には、ステップＳ４０に進み、第２磁気センサ４０７がＩＣカードフラグを読み取っていないと判定した場合には、その旨の磁気不良情報を取引処理部１１３−１に出力し、ステップＳ７０に進む。
【００６８】
ステップＳ４０において、ＩＣ記憶媒体有無判定部１１２−１は、第１磁気情報または第２磁気情報に含まれるＩＣカードフラグに基づいて、取引用キャッシュカードがＩＣチップ３−１を有するか否かを判定する。
【００６９】
この結果、ＩＣ記憶媒体有無判定部１１２−１は、取引用キャッシュカードがＩＣチップ３−１を有すると判定した場合には、その旨のＩＣチップ有り判定情報を取引処理部１１３−１に出力し、ステップＳ５０に進む。一方、ＩＣ記憶媒体有無判定部１１２−１は、取引用キャッシュカードがＩＣチップ３−１を有しないと判定した場合には、この判定に使用した磁気情報（例えば、ステップＳ２０から直接（ステップＳ３０を迂回して）ステップＳ４０に進んだ場合には、第１磁気情報）を取引処理部１１３−１に出力し、ステップＳ６０に進む。
【００７０】
ステップＳ５０において、取引処理部１１３−１は、ＩＣ記憶媒体有無判定部１１２−１からＩＣチップ有り情報を与えられた際に、取引用キャッシュカードがＩＣチップ３−１を有することを認識する。そして、取引処理部１１３−１は、搬送ローラ４０２を用いて、取引用キャッシュカードをＩＣ読取り部４１４の下方まで移動させる。そして、取引処理部１１３−１は、ＩＣ読取り部４１４を矢印Ｂ方向に駆動して、取引用キャッシュカードのＩＣチップ３−１に圧接させる。これにより、ＩＣ読取り部４１４は、ＩＣチップ３−１にアクセス可能になる。ＩＣ読取り部４１４は、ＩＣチップ３−１からＩＣ情報を取得し、取引処理部１１３−１に出力する。
【００７１】
ステップＳ６０において、取引処理部１１３−１は、ＩＣ記憶媒体有無判定部１１２−１から与えられた磁気情報またはＩＣ読取り部４１４から与えられたＩＣ情報に基づいて、取引に必要な処理（例えば、暗証番号や取引金額の入力受付、取引金額の振込み、支払い等）を行う。その後、取引処理部１１３−１は、取引用キャッシュカードを顧客に返却し、処理を終了する。なお、取引処理部１１３−１は、取引用キャッシュカードの返却時に、取引用キャッシュカードがカード入出口１２に所定時間留まっている場合、顧客によるカード取り忘れが発生したと判定し、取引用キャッシュカードを取り忘れ格納庫４１６に収納する。
【００７２】
ステップＳ７０において、取引処理部１１３−１は、ＩＣ記憶媒体有無判定部１１２−１から与えられた磁気不良情報に基づいて、取引用キャッシュカードの磁気に不良が発生したことを認識する。ステップＳ８０において、取引処理部１１３−１は、取引用キャッシュカードを顧客に返却する。その後、取引処理部１１３−１は、処理を終了する。
【００７３】
以上により、自動取引装置１０は、第１磁気センサ４０６がＩＣカードフラグを読み取っていないと判定した場合に、第１磁気ストライプ２以外の記憶媒体を用いて、取引用キャッシュカードがＩＣチップ３−１を有するか否かを判定する。そして、自動取引装置１０は、取引用キャッシュカードがＩＣチップ３−１を有すると判定した場合には、ＩＣチップ３−１に記憶されたＩＣ情報に基づいて、取引を行う。したがって、自動取引装置１０は、第１磁気ストライプ２からＩＣカードフラグを読み取ることができない場合であっても、ＩＣチップ３−１に記憶された情報に基づく取引を行うことができる。なお、従来では、第１磁気ストライプ２の第１磁気情報が消磁した場合、顧客は、金融機関にて再書き込みを行ってもらった上で、自動取引装置を用いた取引を行う必要があったが、本実施形態に係る自動取引装置１０は、このような手続きを行う必要がない。
【００７４】
具体的には、自動取引装置１０は、第１磁気センサ４０６がＩＣカードフラグを読み取っていないと判定した場合には、第２磁気センサ４０７が読み取った第２磁気情報に基づいて、取引用キャッシュカードがＩＣチップ３−１を有するか否かを判定するので、当該判定を容易に行うことができる。なお、上述した処理では、第１磁気センサ４０６がＩＣカードフラグを読み取っていない場合に、第２磁気センサ４０７が第２磁気情報を読み取ることとしたが、第１磁気センサ４０６及び第２磁気センサ４０７は、同時に磁気情報を読み取るようにしてもよい。
【００７５】
＜第２の実施の形態＞
次に、第２の実施の形態を説明する。第２の実施の形態では、第１の実施の形態と異なる部分についてのみ説明する。第２の実施の形態に係る自動取引装置１０は、使用可能なＩＣキャッシュカードの種類、カード処理部の構成、制御部の構成、及び制御部による処理が第１の実施の形態に係る自動取引装置１０と異なる。
【００７６】
［ＩＣキャッシュカード１−３の構成］
図８は、第２の実施の形態で使用されるＩＣキャッシュカード１−３を示す。即ち、第２の実施の形態に係る自動取引装置は、磁気キャッシュカード１−２の他、このＩＣキャッシュカード１−３に対応している。以下、「取引用キャッシュカード」は、このＩＣキャッシュカード１−３も含むものとする。
【００７７】
ＩＣキャッシュカード１−３は、接触式のＩＣチップ３−１の代わりに、非接触式のＩＣチップ３−２を有している。ＩＣチップ３−２は、ＩＣキャッシュカード１−３内に埋め込まれている。他の構成はＩＣキャッシュカード１−１と同様の構成である。なお、図８では、ＩＣキャッシュカード１−３は第２磁気ストライプ６を有するが、この第２磁気ストライプ６はなくてもよい。
【００７８】
［カード処理部４１の構成］
次に、図９に基づいて、第２の実施の形態で使用されるカード処理部４１について説明する。カード処理部４１は、第１の実施の形態に係るカード処理部４０と異なり、第２磁気センサ４０７を有していない。また、カード処理部４１は、ＩＣ読取り部４１４の代わりに、非接触式のＩＣ読取り部４２０（信号送受信部）を有している。ＩＣ読取り部４２０は、ＩＣチップ３−２に応答要求情報を送信し、これに応じて、ＩＣチップ３−２は、応答情報を送信する。
【００７９】
なお、カード処理部４１は、第２磁気センサ４０７を有していても良く、ＩＣ読取り部４２０は接触式のＩＣ読取り部４１４の機能を有していてもよい。
【００８０】
［制御部１１０−２の構成］
次に、図１０に基づいて、第２の実施の形態に係る制御部１１０−２の構成を説明する。制御部１１０−２は、読み取り成否判定部１１１−２と、ＩＣ記憶媒体有無判定部１１２−２と、取引処理部１１３−２とを有する。
【００８１】
読み取り成否判定部１１１−２は、第１の実施の形態に係る読み取り成否判定部１１１−１と同様の処理を行う。
【００８２】
ＩＣ記憶媒体有無判定部１１２−２は、読み取り成否判定部１１１−１から第１磁気情報が与えられた場合には、第１磁気情報に含まれるＩＣカードフラグに基づいて、取引用キャッシュカードがＩＣチップ３−２を有するか否かを判定する。
【００８３】
この結果、ＩＣ記憶媒体有無判定部１１２−２は、取引用キャッシュカードがＩＣチップ３−２を有すると判定した場合には、その旨のＩＣチップ有り判定情報を取引処理部１１３−２に出力する。一方、ＩＣ記憶媒体有無判定部１１２−２は、取引用キャッシュカードがＩＣチップ３−２を有しないと判定した場合には、第１磁気情報を取引処理部１１３−２に出力する。
【００８４】
ＩＣ記憶媒体有無判定部１１２−２は、読み取り成否判定部１１１−２から磁気不良情報を与えられた場合には、搬送ローラ４０２を用いて取引用キャッシュカードをＩＣ読取り部４２０の下方まで移動させ、ＩＣ読取り部４２０に応答要求情報を発信させる。ＩＣ読取り部４２０は、応答情報を受信した場合には、その応答情報をＩＣ記憶媒体有無判定部１１２−２に出力する。
【００８５】
ＩＣ記憶媒体有無判定部１１２−２は、ＩＣ読取り部４２０から応答情報が与えられた場合には、取引用キャッシュカードがＩＣチップ３−２を有すると判定し、その旨のＩＣチップ有り判定情報を取引処理部１１３−２に出力する。一方、ＩＣ記憶媒体有無判定部１１２−１は、ＩＣ読取り部４２０から応答情報が与えられない場合には、取引用キャッシュカードがＩＣチップ３−２を有しないと判定し、磁気不良情報を取引処理部１１３−２に出力する。
【００８６】
取引処理部１１３−２は、自動取引装置１０の各構成要素を制御する。一方、取引処理部１１３−２は、ＩＣ記憶媒体有無判定部１１２−２からＩＣチップ有り判定情報が与えられた場合には、ＩＣ読取り部４２０にＩＣチップ３−２のＩＣ情報を読み取らせる。ＩＣ読取り部４２０は、読み取ったＩＣ情報を取引処理部１１３−２に出力する。取引処理部１１３−１は、当該ＩＣ情報に基づいて、取引を行う。なお、取引処理部１１３−２は、ＩＣ記憶媒体有無判定部１１２−２からＩＣチップ有り判定情報が与えられた際に、取引用キャッシュカードが第１磁気センサ４０６の下方に配置されている場合には、取引用キャッシュカードをＩＣ読取り部４２０の下方まで移動させた上で、上記の処理を行う。
【００８７】
一方、取引処理部１１３−２は、ＩＣ記憶媒体有無判定部１１２−１から第１磁気情報が与えられた場合には、第１磁気情報に基づいて、取引を行う。取引処理部１１３−２は、ＩＣ記憶媒体有無判定部１１２−２から磁気不良情報を与えられた場合には、搬送ローラ４０２を用いて、取引用キャッシュカードを顧客に返却する。
【００８８】
［自動取引装置１０による処理］
次に、図１１に基づいて、自動取引装置１０による処理の手順を説明する。ステップＳ１００の処理は、第１の実施の形態に係るステップＳ１０の処理と同様である。
【００８９】
ステップＳ１１０において、読み取り成否判定部１１１−２は、第１磁気センサ４０６を第１磁気ストライプ２に接触させる。これにより、第１磁気センサ４０６は、第１磁気ストライプ２に記憶された第１磁気情報を読み取ることが可能になる。第１磁気センサ４０６は、第１磁気ストライプ４０６に記憶された第１磁気情報を読み取り成否判定部１１１−２に出力する。
【００９０】
読み取り成否判定部１１１−２は、第１磁気センサ４０６から与えられた第１磁気情報に基づいて、第１磁気センサ４０６がＩＣカードフラグを読み取ったか否かを判定する。具体的には、読み取り成否判定部１１１−２は、第１磁気センサ４０６から与えられた第１磁気情報にＩＣカードフラグが含まれているか否かを判定する。
【００９１】
読み取り成否判定部１１１−２は、第１磁気センサ４０６がＩＣカードフラグを読み取ったと判定した場合には、第１磁気センサ４０６から与えられた第１磁気情報をＩＣ記憶媒体有無判定部１１２−１に出力し、ステップＳ１３０に進む。
【００９２】
一方、読み取り成否判定部１１１−２は、第１磁気センサ４０６がＩＣカードフラグを読み取っていないと判定した場合には、その旨の磁気不良情報をＩＣ記憶媒体有無判定部１１２−１に出力し、ステップＳ１２０に進む。
【００９３】
読み取り成否判定部１１１−２は、第１磁気センサ４０６から第１磁気情報が与えられない場合にも、第１磁気センサ４０６がＩＣカードフラグを読み取っていないと判定し、その旨の磁気不良情報をＩＣ記憶媒体有無判定部１１２−２に出力し、ステップＳ１２０に進む。
【００９４】
なお、読み取り成否判定部１１１−２は、第１磁気センサ４０６がＩＣカードフラグを読み取っていないと判定した場合には、ステップＳ１２０に進む前に、ステップＳ１１０の処理を所定回数繰り返してもよい。
【００９５】
ステップＳ１２０において、ＩＣ記憶媒体有無判定部１１２−２は、読み取り成否判定部１１１−２から磁気不良情報が与えられた際に、搬送ローラ４０２を用いて取引用キャッシュカードをＩＣ読取り部４２０の下方まで移動させ、ＩＣ読取り部４２０に応答要求情報を発信させる。ＩＣ読取り部４２０は、応答情報を受信した場合には、その応答情報をＩＣ記憶媒体有無判定部１１２−２に出力する。
【００９６】
ＩＣ記憶媒体有無判定部１１２−２は、ＩＣ読取り部４２０から応答情報が与えられた場合には、取引用キャッシュカードがＩＣチップ３−２を有すると判定する。そして、ＩＣ記憶媒体有無判定部１１２−２は、その旨のＩＣチップ有り判定情報を取引処理部１１３−２に出力し、ステップＳ１４０に進む。一方、ＩＣ記憶媒体有無判定部１１２−１は、ＩＣ読取り部４２０から応答情報が与えられない場合には、取引用キャッシュカードがＩＣチップ３−２を有しないと判定する。そして、ＩＣ記憶媒体有無判定部１１２−２は、磁気不良情報を取引処理部１１３−２に出力し、ステップＳ１６０に進む。
【００９７】
ステップＳ１３０において、ＩＣ記憶媒体有無判定部１１２−２は、第１磁気情報に含まれるＩＣカードフラグに基づいて、取引用キャッシュカードがＩＣチップ３−２を有するか否かを判定する。
【００９８】
この結果、ＩＣ記憶媒体有無判定部１１２−２は、取引用キャッシュカードがＩＣチップ３−２を有すると判定した場合には、その旨のＩＣチップ有り判定情報を取引処理部１１３−２に出力し、ステップＳ１４０に進む。一方、ＩＣ記憶媒体有無判定部１１２−２は、取引用キャッシュカードがＩＣチップ３−２を有しないと判定した場合には、第１磁気情報を取引処理部１１３−２に出力し、ステップＳ１５０に進む。
【００９９】
ステップＳ１４０において、取引処理部１１３−２は、ＩＣ記憶媒体有無判定部１１２−２からＩＣチップ有り判定情報が与えられた際に、取引用キャッシュカードがＩＣチップ３−２を有すると認識する。
【０１００】
そして、取引処理部１１３−２は、ＩＣ読取り部４２０にＩＣチップ３−２のＩＣ情報を読み取らせる。ＩＣ読取り部４２０は、読み取ったＩＣ情報を取引処理部１１３−２に出力する。なお、取引処理部１１３−２は、ＩＣ記憶媒体有無判定部１１２−２からＩＣチップ有り判定情報が与えられた際に、取引用キャッシュカードが第１磁気センサ４０６の下方に配置されている場合には、取引用キャッシュカードをＩＣ読取り部４２０の下方まで移動させた上で、上記の処理を行う。
【０１０１】
ステップＳ１５０〜ステップＳ１７０の処理は、第１の実施の形態に係るステップＳ６０〜ステップＳ８０と同様である。
【０１０２】
以上により、自動取引装置１０は、第１磁気センサ４０６がＩＣカードフラグを読み取っていないと判定した場合には、ＩＣ読取り部４２０が応答情報を受信したか否かに基づいて、取引用キャッシュカードがＩＣチップ３−２を有するか否かを判定する。したがって、自動取引装置１０は、取引用キャッシュカードが第２磁気ストライプ６を有していない場合であっても、ＩＣチップ３−２の有無を判定する事ができる。
【０１０３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１０４】
１−１、１−３  ＩＣキャッシュカード
１−２  磁気キャッシュカード
２  第１磁気ストライプ
３−１、３−２  ＩＣチップ
４  エンボス領域
５  画像読取領域
６  第２磁気ストライプ
１０  自動取引装置
４０  カード処理部
１１０−１、１１０−２  制御部
１１１−１、１１１−２  読み取り成否判定部
１１２−１、１１２−２  ＩＣ記憶媒体有無判定部
１１３−１、１１３−２  取引処理部
【図１】
0005633363.tif 000002
【図２】
0005633363.tif 000003
【図３】
0005633363.tif 000004
【図４】
0005633363.tif 000005
【図５】
0005633363.tif 000006
【図６】
0005633363.tif 000007
【図７】
0005633363.tif 000008
【図８】
0005633363.tif 000009
【図９】
0005633363.tif 000010
【図１０】
0005633363.tif 000011
【図１１】
0005633363.tif 000012